【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
第１の端末デバイスにより、前記第１の端末デバイスの参照位置情報を生成するステップ（Ｓ１０１）と；
第２の端末デバイスが前記参照位置情報に基づき前記第２の端末デバイスの位置情報を設定し前記位置情報を印付き位置情報として用いるよう、前記第１の端末デバイスから前記第２の端末デバイスへ前記参照位置情報を送信するステップ（Ｓ１０２）と；
前記第１の端末デバイスにおいて、前記第２の端末デバイスにより送信された前記印付き位置情報を受信するステップ（Ｓ１０３）と；
前記第１の端末デバイスにより、前記参照位置情報と前記受信された印付き位置情報とに基づき、前記第１の端末デバイスと前記第２の端末デバイスとの相対位置を特定するステップ（Ｓ１０４）と；を備える、
相対位置特定方法。
【請求項２】
前記参照位置情報は、前記第１の端末デバイスの相対位置を反映している、
請求項１に記載の相対位置特定方法。
【請求項３】
第２の端末デバイスへ前記参照位置情報を送信するステップは：
前記第１の端末デバイスにより、前記第１の端末デバイスを含むグループを特定するステップと；
前記グループ内の各第２の端末デバイスへ前記参照位置情報を送信するステップと；を備える、
請求項１に記載の相対位置特定方法。
【請求項４】
前記第１の端末デバイスにより、前記グループ内の前記第１の端末デバイスと各第２の端末デバイスとの相対位置を、前記受信された印付き位置情報に基づき特定するステップと；
各第２の端末デバイスの前記特定された相対位置を、前記グループ内の第２の端末デバイス全てへ送信するステップと；を更に備える、
請求項３に記載の相対位置特定方法。
【請求項５】
第１の端末デバイスにより、前記第１の端末デバイスの参照位置情報を生成するステップは：
座標系を有する測位インターフェースにおいて、前記第１の端末デバイスが前記第１の端末デバイスの参照位置として用いる、前記座標系の原点を基準として、前記第１の端末デバイスにより、前記第１の端末デバイスの前記参照位置情報を生成するステップを備え、
前記第２の端末デバイスへ前記参照位置情報を送信する前記ステップは：
前記第２の端末デバイスへ、前記参照位置情報を含む測位インターフェースを送信するステップを備え、
前記第２の端末デバイスにより送信された前記印付き位置情報を受信する前記ステップは：
前記第２の端末デバイスの前記印付き位置情報を含む、前記第２の端末デバイスによりフィードバックされた測位インターフェースを受信するステップを備える、
請求項１に記載の相対位置特定方法。
【請求項６】
第１の端末デバイスにより、前記第１の端末デバイスの参照位置情報を生成するステップは：
前記第１の端末デバイスにより、測位インターフェースにおいて前記第１の端末デバイスの前記参照位置情報を生成するステップを備え、
前記第２の端末デバイスへ前記参照位置情報を送信する前記ステップは：
前記第２の端末デバイスへ前記測位インターフェースを送信するステップを備え、
前記第２の端末デバイスにより送信された前記印付き位置情報を受信する前記ステップは：
前記第２の端末デバイスの前記印付き位置情報を含む、前記第２の端末デバイスによりフィードバックされた測位インターフェースを受信するステップを備える、
請求項１に記載の相対位置特定方法。
【請求項７】
前記第１の端末デバイスと前記第２の端末デバイスとの相対位置を特定するステップの後に：
前記端末デバイスの前記相対位置に基づき、特定の順序で前記端末デバイスの間で情報を転送するステップ；又は
前記端末デバイスの前記相対位置に基づき、画面合成を通じて前記端末デバイス上に特定の画像を表示するステップ；を更に備える
請求項１に記載の相対位置特定方法。
【請求項８】
第１の端末デバイスによって送信された参照位置情報を第２の端末デバイスにより受信するステップと；
前記第２の端末デバイスにより、前記参照位置情報に基づき、前記第２の端末デバイスの位置情報を設定し、前記位置情報を印付き位置情報として用いるステップと；
前記第１の端末デバイスが、前記第１の端末デバイスの前記参照位置情報と前記第２の端末デバイスの前記印付き位置情報とに基づき、前記第１の端末デバイスと前記第２の端末デバイスとの相対位置を特定するよう、前記第２の端末デバイスから前記第１の端末デバイスへ前記印付き位置情報を送信するステップと；を備える、
相対位置特定方法。
【請求項９】
前記第１の端末デバイスから送信された前記参照位置情報は、前記第１の端末デバイスの相対位置を反映している、
請求項８に記載の相対位置特定方法。
【請求項１０】
第１の端末デバイスによって送信された参照位置情報を第２の端末デバイスにより受信するステップは：
前記第２の端末デバイスにより、原点が前記第１の端末デバイスの参照位置として用いられる座標系を含む、前記第１の端末デバイスにより送信された測位インターフェースを受信するステップを備え、
前記参照位置情報に基づき、前記第２の端末デバイスの位置情報を設定する前記ステップは：
前記第２の端末デバイスにより、前記測位インターフェースにおいてユーザの操作命令を受信し、前記ユーザにより前記測位インターフェースの前記座標系において選択された位置を前記第２の端末デバイスの印付き位置として用いて、前記印付き位置情報を生成するステップを備え、
前記第１の端末デバイスへ前記印付き位置情報を送信する前記ステップは：
前記第１の端末デバイスへ、前記印付き位置情報を含む測位インターフェースを送信するステップを備える、
請求項８に記載の相対位置特定方法。
【請求項１１】
第１の端末デバイスによって送信された参照位置情報を第２の端末デバイスにより受信するステップは：
前記参照位置情報を含む、前記第１の端末デバイスにより送信された測位インターフェースを、前記第２の端末デバイスにより受信するステップを備え、
前記参照位置情報に基づき、前記第２の端末デバイスの位置情報を設定する前記ステップは：
前記測位インターフェースにおいてユーザの操作命令を前記第２の端末デバイスにより受信し、前記測位インターフェースにおいて前記ユーザにより選択された位置を前記第２の端末デバイスの印付き位置として用いて、前記印付き位置情報を生成するステップを備え、
前記第１の端末デバイスへ前記印付き位置情報を送信する前記ステップは：
前記第１の端末デバイスへ前記印付き位置情報を含む測位インターフェースを送信するステップを備える、
請求項８に記載の相対位置特定方法。
【請求項１２】
請求項１乃至請求項７のいずれか１項に記載の方法を実行するように構成された複数のモジュールを備える、
相対位置特定装置。
【請求項１３】
請求項８乃至請求項１１のいずれか１項に記載の方法を実行するように構成された複数のモジュールを備える、
相対位置特定装置。
【手続補正２】
【補正対象書類名】明細書
【補正対象項目名】００９２
【補正方法】変更
【補正の内容】
【００９２】
上述のものは本願の一実施形態に過ぎず、本願を限定するものではない。当業者は、本願に様々な修正及び変更を加えることができる。本願の主旨及び原理から逸脱せずに為されるあらゆる修正、均等物による代替、改善は、本願の特許請求の範囲に含まれるものである。
以下、本発明の実施の態様の例を列挙する。
［第１の局面］
第１の端末デバイスにより、前記第１の端末デバイスの参照位置情報を生成するステップと；
第２の端末デバイスが前記参照位置情報に基づき前記第２の端末デバイスの位置情報を設定し前記位置情報を印付き位置情報として用いるよう、前記第２の端末デバイスへ前記参照位置情報を送信するステップと；
前記第２の端末デバイスにより送信された前記印付き位置情報を受信するステップと；
前記参照位置情報と前記受信された印付き位置情報とに基づき、前記第１の端末デバイスと前記第２の端末デバイスとの相対位置を特定するステップと；を備える、
相対位置特定方法。
［第２の局面］
第２の端末デバイスへ前記参照位置情報を送信する前記ステップは：
前記第１の端末デバイスにより、前記第１の端末デバイスを含むグループを特定するステップと；
前記グループ内の各第２の端末デバイスへ前記参照位置情報を送信するステップと；を備える、
第１の局面に記載の相対位置特定方法。
［第３の局面］
前記第１の端末デバイスにより、前記グループ内の前記第１の端末デバイスと各第２の端末デバイスとの相対位置を、前記受信された印付き位置情報に基づき特定するステップと；
各第２の端末デバイスの前記特定された相対位置を、前記グループ内の第２の端末デバイス全てへ送信するステップと；を更に備える、
第２の局面に記載の相対位置特定方法。
［第４の局面］
第１の端末デバイスにより、前記第１の端末デバイスの参照位置情報を生成する前記ステップは：座標系を有する測位インターフェースにおいて、前記第１の端末デバイスが前記第１の端末デバイスの参照位置として用いる、前記座標系の原点を基準として、前記第１の端末デバイスにより、前記第１の端末デバイスの前記参照位置情報を生成するステップを備え、
前記第２の端末デバイスへ前記参照位置情報を送信する前記ステップは：前記第２の端末デバイスへ、前記参照位置情報を含む測位インターフェースを送信するステップを備え、
前記第２の端末デバイスにより送信された前記印付き位置情報を受信する前記ステップは：前記第２の端末デバイスの前記印付き位置情報を含む、前記第２の端末デバイスによりフィードバックされた測位インターフェースを受信するステップを備える、
第１の局面に記載の相対位置特定方法。
［第５の局面］
第１の端末デバイスにより、前記第１の端末デバイスの参照位置情報を生成する前記ステップは：前記第１の端末デバイスにより、測位インターフェースにおいて前記第１の端末デバイスの前記参照位置情報を生成するステップを備え、
前記第２の端末デバイスへ前記参照位置情報を送信する前記ステップは：前記第２の端末デバイスへ前記測位インターフェースを送信するステップを備え、
前記第２の端末デバイスにより送信された前記印付き位置情報を受信する前記ステップは：前記第２の端末デバイスの前記印付き位置情報を含む、前記第２の端末デバイスによりフィードバックされた測位インターフェースを受信するステップを備える、
第１の局面に記載の相対位置特定方法。
［第６の局面］
前記第１の端末デバイスと前記第２の端末デバイスとの相対位置を特定する前記ステップの後に：
前記端末デバイスの前記相対位置に基づき、特定の順序で前記端末デバイスの間で情報を転送するステップ；又は
前記端末デバイスの前記相対位置に基づき、画面合成を通じて前記端末デバイス上に特定の画像を表示するステップ；を更に備える
第１の局面に記載の相対位置特定方法。
［第７の局面］
第１の端末デバイスによって送信された参照位置情報を第２の端末デバイスにより受信するステップと；
前記参照位置情報に基づき、前記第２の端末デバイスの位置情報を設定し、前記位置情報を印付き位置情報として用いるステップと；
前記第１の端末デバイスが、前記第１の端末デバイスの前記参照位置情報と前記第２の端末デバイスの前記印付き位置情報とに基づき、前記第１の端末デバイスと前記第２の端末デバイスとの相対位置を特定するよう、前記第１の端末デバイスへ前記印付き位置情報を送信するステップと；を備える、
相対位置特定方法。
［第８の局面］
第１の端末デバイスによって送信された参照位置情報を第２の端末デバイスにより受信する前記ステップは：前記第２の端末デバイスにより、原点が前記第１の端末デバイスの参照位置として用いられる座標系を含む、前記第１の端末デバイスにより送信された測位インターフェースを受信するステップを備え、
前記参照位置情報に基づき、前記第２の端末デバイスの位置情報を設定する前記ステップは：前記第２の端末デバイスにより、前記測位インターフェースにおいてユーザの操作命令を受信し、前記ユーザにより前記測位インターフェースの前記座標系において選択された位置を前記第２の端末デバイスの印付き位置として用いて、前記印付き位置情報を生成するステップを備え、
前記第１の端末デバイスへ前記印付き位置情報を送信する前記ステップは：前記第１の端末デバイスへ、前記印付き位置情報を含む測位インターフェースを送信するステップを備える、
第７の局面に記載の相対位置特定方法。
［第９の局面］
第１の端末デバイスによって送信された参照位置情報を第２の端末デバイスにより受信する前記ステップは：前記参照位置情報を含む、前記第１の端末デバイスにより送信された測位インターフェースを、前記第２の端末デバイスにより受信するステップを備え、
前記参照位置情報に基づき、前記第２の端末デバイスの位置情報を設定する前記ステップは：前記測位インターフェースにおいてユーザの操作命令を前記第２の端末デバイスにより受信し、前記測位インターフェースにおいて前記ユーザにより選択された位置を前記第２の端末デバイスの印付き位置として用いて、前記印付き位置情報を生成するステップを備え、
前記第１の端末デバイスへ前記印付き位置情報を送信する前記ステップは：前記第１の端末デバイスへ前記印付き位置情報を含む測位インターフェースを送信するステップを備える、
第７の局面に記載の相対位置特定方法。
［第１０の局面］
第１の端末デバイスの参照位置情報を生成するように構成された参照位置モジュールと；
第２の端末デバイスが前記参照位置情報に基づき前記第２の端末デバイスの位置情報を設定し、前記位置情報を印付き位置情報として用いるよう、前記第２の端末デバイスへ前記参照位置情報を送信するように構成された送信モジュールと；
前記第２の端末デバイスにより送信された前記印付き位置情報を受信するように構成された受信モジュールと；
前記参照位置情報と前記受信された印付き位置情報とに基づき、前記第１の端末デバイスと前記第２の端末デバイスとの相対位置を特定するように構成された位置特定モジュールと；を備える、
相対位置特定装置。
［第１１の局面］
前記送信モジュールが、前記第１の端末デバイスを含むグループを特定し、前記グループ内の各第２の端末デバイスへ前記参照位置情報を送信するように構成される、
第１０の局面に記載の相対位置特定装置。
［第１２の局面］
前記位置特定モジュールは、前記グループ内の前記第１の端末デバイスと各第２の端末デバイスとの相対位置を、前記受信された印付き位置情報に基づいて特定するように；及び、各第２の端末デバイスの前記特定された相対位置を、前記グループ内のすべての第２の端末デバイスへ送信するように；更に構成される、
第１１の局面に記載の相対位置特定装置。
［第１３の局面］
前記参照位置モジュールは、座標系を含む測位インターフェースにおいて、前記第１の端末デバイスが前記第１の端末デバイスの参照位置として用いる、前記座標系の原点を基準として、前記第１の端末デバイスの前記参照位置情報を生成するように構成され、
前記送信モジュールは、前記第２の端末デバイスへ前記参照位置情報を含む測位インターフェースを送信するように構成され、
前記受信モジュールは、前記第２の端末デバイスの前記印付き位置情報を含む、前記第２の端末デバイスによりフィードバックされた測位インターフェースを受信するように構成される、
第１０の局面に記載の相対位置特定装置。
［第１４の局面］
前記参照位置モジュールは、測位インターフェースにおいて前記第１の端末デバイスの前記参照位置情報を生成するように構成され、
前記送信モジュールは、前記第２の端末デバイスへ前記測位インターフェースを送信するように構成され、
前記受信モジュールは、前記第２の端末デバイスの前記印付き位置情報を含む、前記第２の端末デバイスによりフィードバックされた測位インターフェースを受信するように構成される、
第１０の局面に記載の相対位置特定装置。
［第１５の局面］
前記各端末デバイスの前記相対位置に基づき、特定の順序で前記端末デバイスの間で情報を転送するように；又は、前記端末デバイスの前記相対位置に基づき、画面合成を通じて前記端末デバイス上で特定の画像を表示するように；構成された処理モジュールを更に備える、
第１０の局面に記載の相対位置特定装置。
［第１６の局面］
第１の端末デバイスにより送信された参照位置情報を受信するように構成された受信モジュールと；
前記参照位置情報に基づき、第２の端末デバイスの位置情報を設定し、前記位置情報を印付き位置情報として用いるように構成された印付き位置モジュールと；
前記第１の端末デバイスの前記参照位置情報と前記第２の端末デバイスの前記印付き位置情報とに基づき、前記第１の端末デバイスと前記第２の端末デバイスとの相対位置を前記第１の端末デバイスが特定するよう、前記第１の端末デバイスへ前記印付き位置情報を送信するように構成された送信モジュールと；を備える、
相対位置特定装置。
［第１７の局面］
前記受信モジュールは、原点が前記第１の端末デバイスの参照位置として用いられる座標系を含む、前記第１の端末デバイスにより送信された測位インターフェースを受信するように構成され、
前記印付き位置モジュールは、前記測位インターフェースにおいてユーザの操作命令を受信し、前記測位インターフェースの前記座標系において前記ユーザにより選択された位置を、前記第２の端末デバイスの印付き位置として用いて、前記印付き位置情報を生成するように構成され、
前記送信モジュールは、前記印付き位置情報を含む測位インターフェースを、前記第１の端末デバイスへ送信するように構成される、
第１６の局面に記載の相対位置特定装置。
［第１８の局面］
前記受信モジュールは、前記参照位置情報を含む、前記第１の端末デバイスにより送信された測位インターフェースを受信するように構成され、
前記印付き位置モジュールは、前記測位インターフェースにおいてユーザの操作命令を受信し、前記測位インターフェースにおいて前記ユーザにより選択された位置を、前記第２の端末デバイスの印付き位置として用い、前記印付き位置情報を生成するように構成され、
前記送信モジュールは、前記第１の端末デバイスへ前記印付き位置情報を含む測位インターフェースを、前記第１の端末デバイスへ送信するよう構成される、
第１６の局面に記載の相対位置特定装置。